(57)【特許請求の範囲】
【請求項１】
噴出口を有するノズル本体は、前記噴出口の噴出方向及び噴出方向と交差する方向に開放されたスリット状の溝により離隔する突起を備えていることを特徴とする高圧ジェットノズル。
【請求項２】
前記ノズル本体は、前記噴出口に通じており、該噴出口よりも前記突起と反対側の通路の途中から分岐して外周面に開口する横孔を有する請求項１記載の高圧ジェットノズル。
【発明の詳細な説明】
【０００１】
【産業上の利用分野】
本発明は、果樹や街路樹等に潅水したり追肥したりする場合に使用する高圧ジェットノズルに関する。
【０００２】
【従来の技術】
一般に、果樹や街路樹等に潅水したり追肥したりする場合、地表面から行っている。
【０００３】
所が、地表面から潅水や追肥を行うときには、樹木の根が下方側には伸びず、地表近くを横方向に伸びて、養分を吸収する毛根の多くも地表近くで発生する。このため、干害や酸性雨の影響を受け易く、樹勢を損なって枯れたりすることがあった。
【０００４】
そこで、最近では、一端が高圧ポンプに接続され、他端に高圧ジェットノズルを備えた地中挿入管を用い、この地中挿入管を地中に挿入させることにより、前記ノズルを樹木の外周囲に所定深さにわたって挿入させ、前記高圧ポンプから圧送される水や肥料などを前記ノズル本体から地中に直接注入し、固化した土壌を軟化，細粒化して樹木の根を下方側に伸び易くし、また、樹木の根に直接施肥して樹木の活性を高めることが行われている。
【０００５】
前記ノズルは、その突入方向先端側に水や肥料等を外部噴出する噴出口を設け、また、軸心内部には前記高圧ポンプ側に開放する通路を形成して、該通路の先端側を前記噴出口に連通させ、この噴出口から地中挿入方向に向けて水等を勢い良く噴出させることにより、樹木の根の周りに直接潅水や施肥を行うと同時に、噴出される水等で地中挿入方向前方の土や砂等を排除して前記ノズルの地中への挿入を容易に行えるようにしている。
【０００６】
【発明が解決しようとする課題】
ところが、前記ノズルは、その噴出口の形成部位を先端縁として地中に挿入されるため、噴出口を外部露出状に設けていると、地中への挿入時に噴出口に直接土や砂等が衝撃的に入り込んで、該噴出口に詰まり、この噴出口から水や肥料等の円滑な噴出ができなくなる。また、前記噴出口に詰まった土砂等が、地中挿入時に石などに当たって前記通路内に押し込まれると、この通路内が静圧になるため、もはや前記通路に付与される静圧だけによっては噴出口に詰った土砂等を除去することができず、面倒な除去作業を別途必要としたのである。
【０００７】
本発明の主な目的は、地中への挿入時に、土砂等が詰まるのを阻止できて、水や肥料等を確実かつ円滑に噴出させることができる高圧ジェットノズルを提供することにある。
【０００８】
【課題を解決するための手段】
以上の主目的を達成するため、請求項１記載の発明は、噴出口を有するノズル本体は、前記噴出口の噴出方向及び噴出方向と交差する方向に開放されたスリット状の溝により離隔する突起を備えていることを特徴とする。
【０００９】
請求項２記載の発明は、前記ノズル本体は、前記噴出口に通じており、該噴出口よりも前記突起と反対側の通路の途中から分岐して外周面に開口する横孔を有することを特徴とする。
【００１１】
【作用】
請求項１記載の発明では、ノズル本体の地中への挿入時、その噴出口に土砂等が侵入しようとしても、この噴出口の噴出方向先端側に設けた突起の間の溝が土砂等の侵入に対する大きな抵抗となるため、土砂等が前記噴出口にまで侵入して詰まるのを防止でき、また、たとえ土砂等が前記溝に侵入しても、前記噴出口から勢いよく噴出する高圧ジェットにより速やかに外部排除できるのであり、従って、前記噴出口から水や肥料等を円滑に噴出させることができて、樹木等への潅水や追肥作業を良好に行って樹木の活性を高めることができる。
【００１２】
請求項２記載の発明では、たとえ噴出口に土砂等が詰まり状になって該噴出口からの噴出量が少なくなるようなことがあっても、通路内の水などを横孔から噴出させて、通路内に動圧を確保することができるため、噴出口に詰まり状になっている土砂等を通路内の動圧により噴出口から外部排除できて、該噴出口から水や肥料等を円滑に噴出させることができる。
【００１４】
【実施例】
図４は高圧ジェットノズルＡを地中挿入管２の先端に接続した構造を示しており、地中挿入管２の上部側に左右方向に延びる連結体３を設けて、該連結体３の一方側に握り部４を取付けると共に、他方側には、一端が前記地中挿入管２に接続され、他端が図５の高圧ポンプ車Ｂから延びるホースＨに接続される連結管５を取付けて、この連結管５の途中に前記ノズルＡから水や液体肥料等の噴出，停止を行う操作杆６１をもつ操作部６を設けている。
【００１５】
図５に示す高圧ポンプ車Ｂは、エンジンＥと高圧ポンプＰとを搭載し、また、該ポンプＰに連通するホースＨが巻回されたリールＲを搭載して、このホースＨの先端側を前記連結管５に連結している。
【００１６】
そして、前記ノズルＡのノズル本体１には、図１，図２で示すように、その軸心内部に前記挿入管２に連通する通路１１を設け、該通路１１の先端側に水や肥料等の噴出口１２を連通状に形成すると共に、前記ノズル本体１の噴出方向前方側には先鋭状のスリット付の突起１３を一体状に設けて、この突起１３の前記噴出口１２との対向部位に、該噴出口１２の噴出方向に向かって開放し、この噴出口１２の径とほぼ同間隔で噴出口１２の噴出方向と交差する方向へ開放したスリット状の溝１４を形成する。
【００１７】
また、前記ノズル本体１には、前記通路１１における噴出口１２の近くから分岐して径方向外方に延び、前記ノズル本体１の外周面に開放される複数の横孔１５を形成すると共に、これら横孔１５が開放されるノズル本体１の外周面には、前記ノズル本体１の地中への挿入時、前記横孔１５が土砂等で目詰まりを起こすのを防止するために断面半円弧形状の周溝１６を凹陥形成して、該周溝１６内に前記横孔１５を開口させている。尚、前記周溝１６は必ずしも必要でない。
【００１８】
このとき、各図の実施例では、前記通路１１として、その挿入管２への取付側に径大孔１１ａを形成し、該径大孔１１ａの先端側に径小なジェット孔１１ｂを設けると共に、このジェット孔１１ｂの先端側に該ジェット孔１１ｂより径大で前記径大孔１１ａよりも径小な導挿孔１１ｃを形成して、これら導挿孔１１ｃとジェット孔１１ｂとの境界部位に前記横孔１５を開口させ、また、前記導挿孔１１ｃの先端に前記噴出口１２を開口して、前記ジェット孔１１ｂから導挿孔１１ｃを通る水等を前記噴出口１２からノズル本体１の挿入方向前方に向けて勢い良く噴出させるようにしている。
【００１９】
また、各図においては、さらに樹木Ｔへの広範囲にわたる潅水や追肥作業を行うため、前記径大孔１１ａにおけるジェット孔１１ｂの近くに、径方向に延びる複数の径小な噴出孔１７を連通状に形成して、これら各噴出孔１７からも前記径大孔１１ａを通る高圧ジェットの一部を径方向外方に向けて噴出させるようにしている。このとき、前記各噴出孔１７が開口する前記ノズル本体１の外周面には、前記横孔１５の場合と同じく、前記ノズル本体１の地中への挿入時、前記各噴出孔１７が土砂等で目詰まりを起こすのを防止するために断面半円弧形状の周溝１８を凹陥形成し、該周溝１８内に前記各噴出孔１７を開口させている。
【００２０】
次に、以上の構成とした高圧ジェットノズルＡを用い、地中に植えられている樹木Ｔの根Ｔ１に潅水や追肥を施す場合の作業について説明する。
【００２１】
先ず、前記ポンプ車Ｂの高圧ポンプＰを駆動させ、前記地中挿入管２の握り部４を把持し、前記挿入管２を介してノズルＡを前記樹木Ｔの２〜３Ｍ離れた地中Ｃ中に挿入させながら、前記操作部６の操作杆６１を操作することにより、前記高圧ポンプＰから圧送される水や肥料などが、前記ノズルＡの先端噴出口１２から地中挿入方向に向けて例えば８０Ｋｇｆ／ｃｍ２程度の噴出圧で勢い良く噴出され、また、前記ノズル本体１に設けた噴出孔１７からも、ほぼ同噴出圧で勢い良く挿入方向と直交する径方向外方に向けて噴出される。
【００２２】
以上のように、前記噴出口１２及び噴出孔１７から水や肥料等を勢い良く噴出させることにより、前記樹木Ｔの根Ｔ１の周辺に広範囲にわたって潅水や施肥作業を行うことができて、樹木Ｔの活性を高めることができる。また、前記噴出口１２から前記ノズル本体１の挿入方向に向けて噴出される水や肥料等により、該ノズル本体１の挿入部位に位置される土や砂等を排除できるため、このノズル本体１の地中Ｃへの挿入が行い易くなり、しかも、前記ノズル本体１の挿入方向先端側には先鋭状のスリット付突起１３が設けられているため、該突起１３により前記ノズル本体１の地中Ｃへの挿入を容易に行うことができる。また、前記ノズル本体１は、深さ０．３〜１Ｍの範囲にわたって挿入深さを段階的に変えながら挿入させるのであり、斯くすることにより、前記樹木Ｔの根Ｔ１に広範囲にわたって潅水や施肥作業を行うことができる。
【００２３】
そして、以上のように、前記ノズルＡを地中Ｃに挿入させるとき、その挿入方向先端側に前記噴出口１２が位置されているため、該噴出口１２に地中Ｃの土砂等が侵入しようとするのであるが、この噴出口１２の噴出方向先端側には前記スリット付突起１３が設けられ、また、該突起１３には前記噴出口１２の径とほぼ同間隔程度とした溝１４が形成されているため、この溝１４が土砂等の侵入に対する大きな抵抗となるのであり、従って、土砂等が前記噴出口１２にまで侵入して詰まったりするのを未然に防止できる。また、たとえ土砂等が前記溝１４に侵入しても、前記噴出口１２から勢い良く噴出する水や肥料等により速やかに外部排除できるため、前記噴出口１２から水や肥料等を確実かつ円滑に噴出させることができて、樹木Ｔへの潅水や追肥作業を良好に行って、該樹木Ｔの活性を高めることができる。
【００２４】
また、前記ノズル本体１に設けた横孔１５は、その地中Ｃへの挿入方向に対し直交する径方向外方に向けて形成され、しかも、前記横孔１５の先端側はノズル本体１の外周面に凹陥形成した周溝１６内に開口されているため、前記ノズル本体１の地中Ｃへの挿入時、前記横孔１５には土砂等が詰まったりすることがない。従って、たとえ前記噴出口１２に土砂等が詰まり状になって該噴出口１２からの噴出量が少なくなるようなことがあっても、通路１１内の水等を横孔１５から噴出させて通路１１内に動圧を確保することができ、この通路１１内の動圧により噴出口１２の土砂等を外部排除できて、噴出口１２から水や肥料等を確実かつ円滑に噴出させることができる。
【００２５】
さらに、図３の実施例では、前記ノズル本体１に形成する通路１１で、該通路１１を水や肥料等が通過するときに負圧域となる個所に、外部接続ポート１９を開口して、このポート１９に前記挿入管２に沿って地表面側へと延び、その端部側が吸水性樹脂から成る地中改良剤等が装填されたタンクや外気に開放される接続管１９ａを接続している。つまり、前記通路１１を水や肥料等が通過する時、この通路１１の径小とされたジェット孔１１ｂと、前記噴出口１２に連続状に設けられる径大な導通孔１１ｃとの境界部位は、その径の大小差により負圧域が形成されることから、これらジェット孔１１ｂと導通孔１１ｃとの境界部位に前記外部接続ポート１９を開口させている。
【００２６】
そして、以上のように、前記ノズル本体１の噴出口１２及び噴出孔１７から水や肥料等を噴出するとき、前記接続管１９ａの地表面へと延びる端部側を吸水性樹脂から成る地中改良剤等が装填されたタンクなどに開放することにより、この地中改良剤等を負圧域となる前記ジェット孔１１ｂと導通孔１１ｃとの境界部位に吸引することができて、前記地中改良剤などを前記噴出口１２から水や肥料等と共に樹木Ｔの根Ｔ１に供給することができる。また、前記接続管１９ａの端部側を外気に開放するときには、前記噴出口１２から水や肥料等を樹木Ｔの根Ｔ１に供給すると同時に、その周りにエアレーションを行って酸素を補給でき、樹木Ｔの活性をさらに高めることができる。
【００２７】
また、各図の実施例では、前記ノズル本体１の地中挿入管２への取付側にねじ部２０を形成すると共に、前記ノズル本体１の外周囲に多角形状の操作部２１を設けて、この操作部２１を螺回操作しながら前記ねじ部２０を前記挿入管２の端部に螺着することにより、前記ノズル本体１を前記挿入管２に取付けるようにしている。
【００２８】
【発明の効果】
以上説明したように、請求項１記載の発明では、ノズル本体の地中への挿入時、その噴出口の噴出方向先端側に設けた突起の間の溝により、土砂等が前記噴出口にまで侵入して詰まるのを未然に防止でき、また、たとえ土砂等が前記溝に侵入しても、前記噴出口から勢いよく噴出する高圧ジェットにより速やかに外部排除できるのであり、従って、前記噴出口から水や肥料等を円滑に噴出させることができて、樹木等への潅水や追肥作業を良好に行って樹木の活性を高めることができる。
【００２９】
請求項２記載の発明では、たとえ噴出口に土砂等が詰まり状になって該噴出口からの噴出量が少なくなるようなことがあっても、通路内の水等を横孔から噴出させて通路内に動圧を確保できるため、たとえ前記噴出口に詰まり状になっている土砂等を前記通路内の動圧により噴出口から外部排除できて、該噴出口から水や肥料等を円滑に噴出させることができる。
【図面の簡単な説明】
【図１】本発明にかかる高圧ジェットノズルを示す縦断面図。
【図２】図１の平面図。
【図３】他の実施例を示す断面図。
【図４】高圧ジェットノズルを地中挿入管に接続した例を示す説明図。
【図５】樹木に潅水や施肥作業を行う場合の説明図。
【符号の説明】
１……ノズル本体
１１…通路
１２…噴出口
１３…スリット付突起
１４…溝
１５…横孔
１９…外部接続ポート
【図１】
0003564671.tif 000002
【図２】
0003564671.tif 000003
【図３】
0003564671.tif 000004
【図４】
0003564671.tif 000005
【図５】
0003564671.tif 000006